(57)【要約】      （修正有）【課題】鋼管と比較して強度剛性は低いが、安価で且つ軽量な合成樹脂管からなる外管を採用しつつ、該外管を削孔内に無理なく確実に施工し得る削孔装置及び削孔方法並びにアンカー材施工方法を提供する。【解決手段】鋼管からなる内管１５に合成樹脂管からなる外管１６を外装して、両者を削孔装置本体１４にセットし、内管１５のみを回転させるとともに削孔方向へ送り駆動し、内管１５の先端部に連設したダウンザホールハンマ１７により、ビット１９に打撃力を作用させて、地盤Ｇに対して削孔Ｈを掘削する。一方、外管１６は、その先端部に設けた連行部材３０の連行部が、ダウンザホールハンマ１７のハウジングの当接部に当接することで、掘削される削孔Ｈの奥部側へ引っ張られて、削孔Ｈの奥部側へ順次連行され、削孔Ｈ内に残留施工される。【選択図】図１
2018162577.tif 000002
【特許請求の範囲】
【請求項１】
ドリフタと、前記ドリフタを削孔方向に移動自在に案内するガイドレールと、前記ドリフタを送り駆動する送り駆動装置とを備えた削孔装置本体と、
前記ドリフタに着脱自在に接続されて回転駆動されるとともに、送り駆動装置によりドリフタとともに削孔方向へ送り駆動される内管と、
前記内管に外嵌された合成樹脂管からなる外管と、
前記内管の先端部に連設したダウンザホールハンマと、
前記ダウンザホールハンマの打撃力が作用するように、前記ダウンザホールハンマのハウジングに削孔方向に対して移動自在に設けた拡縮可能なビットと、
前記外管の先端部に設けられて、前記外管の先端部を前記ハウジングに回転自在に支持するとともに、前記外管に対するハウジングの削孔方向の基端側への移動を許容し、前記外管に対するハウジングの削孔方向の先端側への移動時に、前記ハウジングに当接して前記外管を削孔方向の先端側へ連行する連行部材と、
を備え、前記外管を削孔内に残留施工することを特徴とする削孔装置。
【請求項２】
前記外管の基端部を、前記ドリフタに接続しないで自由端となした請求項１記載の削孔装置。
【請求項３】
前記外管の周面に内外を連通する複数の貫通孔が形成されている請求項１又は２記載の削孔装置。
【請求項４】
前記外管が波付合成樹脂管からなる請求項１〜３のいずれか１項記載の削孔装置。
【請求項５】
前記連行部材は、前記外管の先端部内に設けられた内筒部材と、前記外管から突出する前記内筒部材の取付部に固定されて、前記取付部から外管の基部側へ延びて外管の先端部の外側を覆う外筒部材とを有し、前記内筒部材の基端側の端面に、前記ハウジングに当接して前記外管を削孔方向の先端側へ連行する連行部が設けられている請求項１〜４のいずれか１項記載の削孔装置。
【請求項６】
前記削孔装置本体が無足場にて現場に設置される請求項１〜５のいずれか１項記載の削孔装置。
【請求項７】
前記ドリフタ及び送り駆動装置が加圧エアにて駆動される請求項１〜６のいずれか１項記載の削孔装置。
【請求項８】
先端部にダウンザホールハンマ及びビットを設けた内管に、合成樹脂管からなる外管を、前記ビットが削孔方向の先端側へ突出するように外装した状態で、前記内管を送り駆動するとともに回転駆動し、掘削時の抵抗でビットを拡径させるとともに、ダウンザホールハンマでビットに対して打撃力を作用させて地盤を掘削する一方、前記外管の先端部に設けた連行部材により、前記外管をダウンザホールハンマのハウジングに回転自在に支持するとともに、該ハウジングとともに前記外管を削孔の奥部側へ連行して、必要深さの削孔を掘削する工程と、
必要深さの削孔を掘削した後、前記内管を前記削孔時とは逆方向へ回転させて、ビットを縮径させてから、前記内管とともにダウンザホールハンマ及びビットを後退させて、前記外管を地盤に残した状態で、前記内管とダウンザホールハンマとビットを削孔から抜き取る工程と、
を備えた削孔方法。
【請求項９】
前記必要深さの削孔を掘削する工程において、前記内管の長さ分の削孔を掘削した後、前記削孔内の内管及び外管に対して新たな内管及び外管を接続する作業と、該新たに接続した内管の長さ分の削孔を掘削する作業とを、１乃至複数回繰り返して、必要深さの削孔を掘削する請求項８記載の削孔方法。
【請求項１０】
前記削孔を掘削する前に、先端部にダウンザホールハンマ及びビットを設けた内管により、前記削孔の掘削予定位置に対してガイド孔を削孔する請求項８又は９記載の削孔方法。
【請求項１１】
請求項８〜１０のいずれか１項記載の削孔方法にて、地盤に対して必要深さの削孔を掘削した後、前記削孔内にグラウトを注入するとともに、前記削孔内にアンカー材を挿入するアンカー材施工方法。
【請求項１２】
請求項８〜１０のいずれか１項記載の削孔方法にて、地盤に対して必要深さの複数本の削孔を掘削した後、前記複数本の削孔内にグラウトを注入するとともに、前記複数本の削孔内にアンカー材を挿入するアンカー材施工方法。
【請求項１３】
前記グラウト及びアンカー材を施工した後、前記削孔の開口を閉蓋して、該削孔内にグラウトを加圧注入し、前記削孔付近の地盤内に、前記外管に設けた複数の貫通孔を通じて、グラウトを地盤に浸透させる請求項１１又は１２記載のアンカー材施工方法。
【発明の詳細な説明】
【技術分野】
【０００１】
本発明は、内管及び外管を用いて地盤に対して削孔を掘削する削孔装置及び削孔方法と、該削孔にアンカー材を施工するアンカー材施工方法に関する。
【背景技術】
【０００２】
崩壊し易い地盤に対してロックボルトなどを施工するための削孔を掘削する削孔方法として、削孔の内面を外管にて保護しつつ、内管の先端に設けたビットにて削孔を掘削する二重管削孔方法が広く採用されている。
【０００３】
二重管削孔装置としては、インナービットと、インナービットに対して削孔方向に向けた打撃力を付与するダウンザホールハンマと、ダウンザホールハンマに連結された内管と、インナービットに付与された打撃力が伝達されるアウタービットと、アウタービットに連結された外管とを備えたものが広く実用化されている（例えば、特許文献１参照。）。
【０００４】
また、先端にビットを備えた内管としての穿孔用ロッドを外管で覆い、この穿孔用ロッドをドリフタに装着するとともに、この穿孔用ロッドに対して外管を回転可能に保持する外管連行アダプタを介してこの外管をドリフタに取付け、ビットが外管の先端から所定の長さだけ突出した状態でこの外管を連行させながら穿孔用ロッドで削孔し、穿孔用ロッドは地盤から引き抜いて再利用し、外管は地盤内に残留させるように構成した削孔方法も提案されている（例えば、特許文献２参照。）。また、削孔内に残留させる外管を、合成樹脂パイプで構成したものも提案されている（例えば、特許文献３参照。）。
【先行技術文献】
【特許文献】
【０００５】
【特許文献１】特開２００８−５７２９３号公報
【特許文献２】特開２００２−３８８６５号公報
【特許文献３】特許第３２４８０９１号公報
【発明の概要】
【発明が解決しようとする課題】
【０００６】
ところで、前記二重管削孔方法では、外管の先端部に掘削ビットを設けて、外管でも地盤を掘削する関係上、内管及び外管は、掘削機からの回転力や打撃力に耐え得るように、通常は鋼管で構成されている。しかし、内管及び外管を鋼管で構成すると、例えば長さ１ｍ、直径９０ｍｍの外管であれば、１本が１８．５ｋｇとなり、またそれに内嵌される内管は、１本が１２．５ｋｇとなることから、内管及び外管を法面などの現場へ移送する作業や、内管及び外管をドリフタに対してセットする作業が、重量物を持ち上げての大変な労力を必要とする作業になっていた。しかも、通常、内管及び外管は、繰り返し使用するので、削孔後における内管及び外管の取り外し作業や現場からの内管及び外管の移送作業が必要となることから、作業者に肉体的な大きな負担を強いる作業になっていた。特に、無足場にて削孔する場合には、足元が安定しないことから、一層過酷な作業になっていた。
【０００７】
一方、特許文献２記載の削孔方法では、外管を地盤内に残留させて埋設施工するので、外管の移送作業やドリフタに対する着脱作業の負担を半減できる。しかし、特許文献２に記載の発明は、基本的には、二重削孔方法の代替案であって、作業者の負担を軽減するという発想に基づくものではないことから、外管としては、相変わらず鋼管等が採用されている。また、特許文献３記載のように、外管を合成樹脂パイプで構成したものも提案されているが、特許文献２、３記載の削孔方法では、外管を内管とともに削孔に対してドリフタにより順次押し込んで施工している。しかし、外管を合成樹脂管で構成した場合には、外管を鋼管で構成する場合と比較して、外管の強度剛性が格段に低くなることから、外管の途中部が折れ曲がり、更に押し込もうとすると外管が坐屈変形して、削孔に対して外管を挿入できなくなるという問題がある。このようなことから、外管を削孔内に残留施工するという発想は提案されているものの、実用化には至っていないのが実状である。
【０００８】
本発明の目的は、鋼管と比較して強度剛性は低いが、安価で且つ軽量な合成樹脂管からなる外管を採用しつつ、該外管を削孔内に無理なく確実に施工し得る削孔装置及び削孔方法並びにアンカー材施工方法を提供することである。
【課題を解決するための手段】
【０００９】
本件発明者は、合成樹脂管からなる外管を削孔内に残留施工する方法について鋭意検討した結果、外管の先端部を保持して、該外管を削孔内に順次引き込むように構成すれば、該外管に対して無理な荷重が作用することを防止できるとの発想を得て、本発明を完成するに至った。
【００１０】
本発明は、以下の発明を包含する。
１）  ドリフタと、前記ドリフタを削孔方向に移動自在に案内するガイドレールと、前記ドリフタを送り駆動する送り駆動装置とを備えた削孔装置本体と、前記ドリフタに着脱自在に接続されて回転駆動されるとともに、送り駆動装置によりドリフタとともに削孔方向へ送り駆動される内管と、前記内管に外嵌された合成樹脂管からなる外管と、前記内管の先端部に連設したダウンザホールハンマと、前記ダウンザホールハンマの打撃力が作用するように、前記ダウンザホールハンマのハウジングに削孔方向に対して移動自在に設けた拡縮可能なビットと、前記外管の先端部に設けられて、前記外管の先端部を前記ハウジングに回転自在に支持するとともに、前記外管に対するハウジングの削孔方向の基端側への移動を許容し、前記外管に対するハウジングの削孔方向の先端側への移動時に、前記ハウジングに当接して前記外管を削孔方向の先端側へ連行する連行部材と、を備え、前記外管を削孔内に残留施工することを特徴とする削孔装置。
【００１１】
この削孔装置を用いて地盤に対して削孔を掘削する際には、例えば次のような手順で削孔を掘削することになる。
【００１２】
先ず、内管に対して合成樹脂管からなる外管を外嵌させて、外管の先端部に設けた連行部材を内管の先端部に設けたダウンザホールハンマのハウジングに回転自在に外嵌させ、この状態で内管の基端部をドリフタに接続して、内管と外管とを削孔装置本体にセットする。このとき、外管の基端部は、ドリフタに接続しないで自由端とする。
【００１３】
次に、ドリフタにより内管を回転させるとともに、送り駆動装置によりドリフタとともに内管を削孔方向の先端側へ送り駆動し、内管の先端部に設けたダウンザホールハンマの打撃力をビットに作用させ、掘削時の反力によりビットを連行部材及び外管よりも拡径させて、ビットにて地盤に必要深さの削孔を順次掘削する。一方、外管は、その先端部に設けた連行部材が、内管とともに送り駆動されるダウンザホールハンマのハウジングに当接することで、削孔方向の先端側へ順次連行されて、削孔内に装填されることになる。このとき、外管の基端部はドリフタに接続されておらず、また外管の先端部は、連行部材を介してハウジングに回転自在に支持されるので、外管に対してドリフタの回転力やダウンザホールハンマの打撃力を作用させることなく、内管の先端部に設けたハウジングで、外管の先端部を削孔の奥部側へ引っ張って、外管を削孔内に円滑に且つ無理なく順次連行できることになる。
【００１４】
このように、この削孔装置では、外管の先端部に対して引張力を作用させて、削孔方向の奥部側へ外管を連行するので、従来のように、外管の基端部に対して回転力や圧縮力を作用させて、外管を削孔内に押し込む場合と比較して、外管に対して、曲げ方向や捩じり方向や坐屈方向への力が作用することを防止できる。このため、鋼管と比較して強度剛性は低いが、安価で且つ軽量な合成樹脂管からなる外管を採用しつつ、該外管を削孔内に無理なく確実に施工できる。したがって、外管を大幅に軽量に構成することが可能となり、外管を作業現場へ移送したり、外管を削孔装置本体にセットしたりするときにおける作業者の肉体的な負担を大幅に軽減できる。また、外管が削孔内に残留施工されるので、外管を削孔から抜き取る作業が不要となり、削孔作業の作業効率を向上できるとともに、削孔装置本体から外管を取り外したり、取り外した外管を作業現場から移送したりするときにおける、作業者の肉体的な負担も一層軽減できる。更に、外管を抜き取る作業が不要となるので、削孔装置本体として油圧駆動のものに代えてエア駆動のものを採用することが可能となり、油圧供給装置と比較して軽量なエア供給装置を作業現場へ移送すればよいので、作業者の肉体的な負担を更に軽減できる。更にまた、合成樹脂管からなる外管は、鋼管からなる外管と比較して安価なものなので、外管を残留施工した場合でも、経済的な負担が過大になることを防止できる。
【００１５】
２）  前記外管の基端部を、前記ドリフタに接続しないで自由端となした前記１）に記載の削孔装置。この発明では、外管の基端部を自由端としているので、掘削時に発生するクリ粉を外管の基端部から外部へ排出できる。
【００１６】
３）  前記外管の周面に内外を連通する複数の貫通孔が形成されている前記１）又は２）のいずれかに記載の削孔装置。この発明は、例えば掘削した削孔に対してアンカー材を施工する場合に好適である。具体的には、アンカー材を施工する場合には、掘削した削孔に対してアンカー材を挿入するとともに、セメントミルクなどのグラウトを注入して、アンカー材を地盤に固定することになるが、注入したグラウトが、貫通孔を通じて外管の外側の地盤に浸透するので、アンカー材を地盤に対してより強固に施工できる。
【００１７】
４）  前記外管が波付合成樹脂管からなる前記１）〜３）のいずれかに記載の削孔装置。外管としては外周面に凹凸のない円筒状の合成樹脂管を採用することも可能であるが、削孔内において外管が、土圧により半径方向内側へ変形することを防止するため、波付合成樹脂管を採用することが好ましい。
【００１８】
５）  前記連行部材は、前記外管の先端部内に設けられた内筒部材と、前記外管から突出する前記内筒部材の取付部に固定されて、前記取付部から外管の基部側へ延びて外管の先端部の外側を覆う外筒部材とを有し、前記内筒部材の基端側の端面に、前記ハウジングに当接して前記外管を削孔方向の先端側へ連行する連行部が設けられている前記１）〜４）のいずれかに記載の削孔装置。この発明では、外管の先端部を連行部材で補強できる。
【００１９】
６）  前記削孔装置本体が無足場にて現場に設置されている前記１）〜５）のいずれかに記載の削孔装置。本発明の削孔装置本体は、足場に設置することも可能であるが、外管を軽量な合成樹脂管で構成できるので、従来、削孔装置本体への外管の移送作業が困難であることから、無足場では施工困難であると考えられていた急勾配の斜面に対しても、無足場で適用することが可能となり、工期の大幅な短縮を図ることが可能となる。
【００２０】
７）  前記ドリフタ及び送り駆動装置が加圧エアにて駆動される前記１）〜６）のいずれかに記載の削孔装置。この発明では、ドリフタ及び送り駆動装置を駆動するための機器として、油圧供給装置よりも格段に軽量なエア供給装置を作業現場へ移送すればよいので、作業者の負担を大幅に軽減できる。
【００２１】
８）  先端部にダウンザホールハンマ及びビットを設けた内管に、合成樹脂管からなる外管を、前記ビットが削孔方向の先端側へ突出するように外装した状態で、前記内管を送り駆動するとともに回転駆動し、掘削時の抵抗でビットを拡径させるとともに、ダウンザホールハンマでビットに対して打撃力を作用させて地盤を掘削する一方、前記外管の先端部に設けた連行部材により、前記外管をダウンザホールハンマのハウジングに回転自在に支持するとともに、該ハウジングとともに前記外管を削孔の奥部側へ連行して、必要深さの削孔を掘削する工程と、必要深さの削孔を掘削した後、前記内管を前記削孔時とは逆方向へ回転させて、ビットを縮径させてから、前記内管とともにダウンザホールハンマ及びビットを後退させて、前記外管を地盤に残した状態で、前記内管とダウンザホールハンマとビットを削孔から抜き取る工程と、を備えた削孔方法。
【００２２】
この削孔方法では、外管の先端部に対して引張力を作用させて、削孔方向の奥部側へ外管を連行するので、従来のように、外管の基端部に対して回転力や圧縮力を作用させて、外管を削孔内に押し込む場合と比較して、外管に対して、曲げ方向や捩じり方向や坐屈方向への力が作用することを防止できる。このため、鋼管と比較して強度剛性は低いが、安価で且つ軽量な合成樹脂管からなる外管を採用しつつ、該外管を削孔内に無理なく確実に施工できる。したがって、外管を大幅に軽量に構成することが可能となり、外管を作業現場へ移送したり、外管を削孔装置本体にセットしたりするときにおける作業者の肉体的な負担を大幅に軽減できる。また、外管が削孔内に残留施工されるので、外管を削孔から抜き取る作業が不要となり、削孔作業の作業効率を向上できるとともに、削孔装置本体から外管を取り外したり、取り外した外管を作業現場から移送したりするときにおける、作業者の肉体的な負担も一層軽減できる。更に、外管を抜き取る作業が不要となるので、削孔装置本体として油圧駆動のものに代えてエア駆動のものを採用することが可能となり、油圧供給装置と比較して軽量なエア供給装置を作業現場へ移送すればよいので、作業者の肉体的な負担を更に軽減できる。更にまた、合成樹脂管からなる外管は、鋼管からなる外管と比較して安価なものなので、外管を残留施工した場合でも、経済的な負担が過大になることを防止できる。
【００２３】
９）  前記必要深さの削孔を掘削する工程において、前記内管の長さ分の削孔を掘削した後、前記削孔内の内管及び外管に対して新たな内管及び外管を接続する作業と、該新たに接続した内管の長さ分の削孔を掘削する作業とを、１乃至複数回繰り返して、必要深さの削孔を掘削する前記８）に記載の削孔方法。この発明では、複数本の内管及び外管を順次接続することで、１本の内管の長さ以上の削孔を掘削して、該削孔内に外管を装填することができる。
【００２４】
１０）  前記削孔を掘削する前に、先端部にダウンザホールハンマ及びビットを設けた内管により、前記削孔の掘削予定位置に対してガイド孔を削孔する前記８）又は９）に記載の削孔方法。このように、予めガイド孔を形成することで、削孔内への外管の連行作業をより円滑に行うことが可能となる。
【００２５】
１１）  前記８）〜１０）のいずれかに記載の削孔方法にて、地盤に対して必要深さの削孔を掘削した後、前記削孔内にグラウトを注入するとともに、前記削孔内にアンカー材を挿入するアンカー材施工方法。このアンカー材施工方法では、前記削孔方法と同様の作用効果が得られる。加えて、掘削した削孔の内壁が外管で保護されるので、崩壊し易い地盤であっても、削孔内に対してグラウト及びアンカー材を適正に施工することができる。
【００２６】
１２）  前記８）〜１０）のいずれかに記載の削孔方法にて、地盤に対して必要深さの複数本の削孔を掘削した後、前記複数本の削孔内にグラウトを注入するとともに、前記複数本の削孔内にアンカー材を挿入するアンカー材施工方法。このアンカー材施工方法では、前記このアンカー材施工方法と同様に作用効果が得られる。加えて、複数本の削孔を掘削した後、該複数本の削孔に対してグラウトを順次注入するとともに、アンカー材を順次挿入できるので、１本ずつ削孔を掘削してアンカー材を施工する場合と比較して、作業効率を格段に向上できるとともに、グラウトが作業途中で固化して無駄になるという不具合も防止できる。
【００２７】
１３）  前記グラウト及びアンカー材を施工した後、前記削孔の開口を閉蓋して、該削孔内にグラウトを加圧注入し、前記削孔付近の地盤内に、前記外管に設けた複数の貫通孔を通じて、グラウトを地盤に浸透させる前記１１）又は１２）に記載のアンカー材施工方法。この発明では、グラウトを削孔内に加圧注入することで、貫通孔を通じて外管の外側の地盤に浸透させるので、アンカー材を地盤に対してより強固に施工することが可能となる。
【発明の効果】
【００２８】
本発明に係る削孔装置及び削孔方法によれば、鋼管と比較して強度剛性は低いが、安価で且つ軽量な合成樹脂管からなる外管を採用しつつ、該外管を削孔内に無理なく確実に施工できる。
【００２９】
本発明に係るアンカー材施工方法によれば、前記削孔方法と同様の作用効果が得られる。加えて、掘削した削孔の内壁が外管で保護されるので、崩壊し易い地盤であっても、削孔内に対してグラウト及びアンカー材を適正に施工することができる。
【図面の簡単な説明】
【００３０】
【図１】削孔装置の全体構成の説明図
【図２】外管及び内管の先端側部分の縦断面図
【図３】ビットの縮径姿勢での底面図
【図４】ビットの拡径姿勢での底面図
【図５】外管の先端側部分の縦断面図
【図６】外管の連結部材の説明図
【図７】斜面に対する削孔の掘削直前の説明図
【図８】必要深さまで削孔を掘削した状態での説明図
【図９】内管を引き抜いた状態での説明図
【図１０】延長用の内管及び外管を接続する場合の説明図
【図１１】ガイド孔を施工する場合の説明図
【図１２】グラウト注入時の説明図
【図１３】アンカー材挿入時の説明図
【図１４】グラウトの加圧注入時の説明図
【発明を実施するための形態】
【００３１】
以下、本発明の実施の形態について図面を参照しながら説明する。
図１に示すように、削孔装置１０は、ドリフタ１１と、ドリフタ１１を削孔方向に移動自在に案内するガイドレール１２と、ドリフタ１１を送り駆動する送り駆動装置１３とを備えた削孔装置本体１４と、ドリフタ１１に着脱自在に接続されて回転駆動されるとともに、送り駆動装置１３によりドリフタ１１とともに削孔方向へ送り駆動される内管１５と、内管１５に外嵌された合成樹脂管からなる外管１６と、内管１５の先端部に連設したダウンザホールハンマ１７と、ダウンザホールハンマ１７の打撃力が作用するように、ダウンザホールハンマ１７のハウジング１８に削孔方向に対して移動自在に設けた拡縮可能なビット１９と、外管１６の先端部に設けられて、外管１６の先端部をハウジング１８に回転自在に支持するとともに、外管１６に対するハウジング１８の削孔方向の基端側への移動を許容し、外管１６に対するハウジング１８の削孔方向の先端側への移動時に、ハウジング１８に当接して外管１６を削孔方向の先端側へ連行する連行部材３０とを備え、外管１６を削孔Ｈ内に残留施工するものである。
【００３２】
削孔装置本体１４について説明すると、間隔をあけて配置した１対のガイドレール１２と、両ガイドレール１２を連結する連結フレーム２０と、両ガイドレール１２の上端部に略直交状に設けた天板２１とを備えた枠状フレーム２２が設けられ、枠状フレーム２２は、天板２１の４つの角部から４方へ延びる４本のワイヤー２３により斜面Ｓに対して略垂直に設置されている。なお、本実施の形態では、足場を組まないで、削孔装置本体１４を斜面Ｓに設置できるように、４本のワイヤー２３でガイドレール１２を斜面Ｓに略垂直に設置したが、足場を組む場合には、ワイヤー２３に代えてガイドレール１２を角度調整可能に支持する設置台を設けて、削孔装置本体１４を足場に設置することになる。
【００３３】
送り駆動装置１３について説明すると、１対のガイドレール１２にはドリフタ１１の支持台２５がガイドレール１２に沿って移動自在に設けられ、ガイドレール１２間の上部と下部とにはスプロケット２６が設けられ、上下のスプロケット２６間にはチェーン２７が張設されている。チェーン２７の途中部は支持台２５に連結され、上側のスプロケット２６をエアモータ２８により回転駆動することで、ドリフタ１１がガイドレール１２に沿って移動するように構成されている。ただし、送り駆動装置１３としては、ドリフタ１１をガイドレール１２に沿って移動し得る構成のものであれば、チェーン２７とスプロケット２６に代えて、スクリュー軸とそれに螺合する雌ネジや、ラックとそれに噛合するピニオンを備えたものなど、任意の構成のものを採用できる。
【００３４】
ドリフタ１１は、その下端部に突出状に設けた中空の回転軸１１ａを回転駆動するとともに、回転軸１１ａを通じてダウンザホールハンマ１７へ加圧エアを供給するように構成した、周知の構成のものである。
【００３５】
送り駆動装置１３及びドリフタ１１には、それを駆動するための加圧エアのエア供給装置（図示略）が接続されている。なお、本実施の形態では、加圧エアにて駆動可能な送り駆動装置１３及びドリフタ１１を採用するとともに、油圧供給装置よりも格段に軽量なエア供給装置を採用して、これらの機器を作業現場へ移送するときにおける、作業者の肉体的な負荷を軽減したが、足場を組むなどして作業現場の足元が安定している場合には、送り駆動装置１３及びドリフタ１１として油圧により駆動するように構成したものを採用することも可能である。
【００３６】
内管１５は、鋼管などの金属管で構成され、内管１５の基端部（上端部）はドリフタ１１の回転軸１１ａに接続され、内管１５の先端部（下端部）にはダウンザホールハンマ１７が連設されている。
【００３７】
図２に示すように、ダウンザホールハンマ１７のハウジング１８の先端部にはビット１９の軸部１９ａが回転自在に設けられ、ビット１９のビット本体１９ｂはハウジング１８よりも下側に配置されている。ダウンザホールハンマ１７のハウジング１８内には加圧エアにより上下移動可能な図示外の打撃部材が設けられ、ビット１９の軸部１９ａの基端部が打撃部材で打撃されることで、ビット１９のビット本体１９ｂに打撃力を作用させて、地盤Ｇを掘削できるように構成されている。
【００３８】
ビット１９の軸部１９ａはハウジング１８の偏心位置に設けられ、ビット１９は、外管１６の内径及び連行部材３０の内径よりも縮径した図３に示す縮径姿勢と、外管１６の外径及び連行部材３０の外径よりも拡径した図４に示す拡径姿勢とにわたって、軸部１９ａを中心とした偏心回転により姿勢切換え可能に構成されている。そして、内管１５とダウンザホールハンマ１７とビット１９を外管１６から引き抜くときには、掘削時とは反対側へビット１９を回転させて、ビット１９を縮径姿勢に切り換え、地盤Ｇを掘削するときには、掘削時の反力で拡径姿勢に切り換えられるように構成されている。なお、ダウンザホールハンマ１７としては、打撃部材を備えた周知の構成のものを採用することができる。また、ビット１９としては、内管１５の回転方向によって、縮径姿勢と拡径姿勢とに姿勢切換え可能なものであれば、任意の構成のものを採用することができる。
【００３９】
図２、図５に示すように、外管１６は、内外を連通する複数の貫通孔１６ａを有する波付合成樹脂管で構成され、外管１６の先端部にはダウンザホールハンマ１７のハウジング１８の下部に回転自在に外嵌される筒状の連行部材３０が固定され、ビット本体１９ｂは連行部材３０から下側へ突出するように設けられている。このように、外管１６を波付合成樹脂管で構成すると、削孔Ｈ内において外管１６が、土圧により半径方向内側へ変形することを防止できるので好ましい。ただし、外管１６として、貫通孔１６ａを有しないものを採用することもできるし、外面に凹凸を有しない円筒状の合成樹脂管を採用することも可能である。
【００４０】
外管１６を構成する素材としては、塩化ビニル樹脂、ＡＢＳ樹脂、ポリエチレン、ポリプロピレン、ポリカーボネートなど、任意の組成の合成樹脂材料を採用できる。特に可撓性を有し、引張強度に優れた合成樹脂材料が好ましく、ポリエチレン、ポリプロピレンなどの合成樹脂材料を好適に採用できる。また、合成樹脂材料にガラス繊維や炭素繊維などの繊維材を添加して、外管１６の引張強度を高めるように構成することも好ましい。また、外管１６にその長さ方向に沿って金属線や金属帯板をインサート成形したものを採用することで、外管１６の引張強度をより一層向上することもできる。
【００４１】
連行部材３０は、外管１６の先端部（下端部）に内嵌状に設けた内筒部材３１と、外管１６の先端部に外嵌状に設けた外筒部材３２とを備えている。
【００４２】
内筒部材３１及び外筒部材３２は外管１６の先端部を補強できるように金属材料で構成され、内筒部材３１は複数本のビス３３により外管１６に内嵌固定されている。内筒部材３１には外管１６から下方へ突出する取付部３１ａが形成され、外筒部材３２には外管１６から下方へ突出する固定部３２ａが形成され、外筒部材３２は固定部３２ａを取付部３１ａに螺合させて内筒部材３１に固定されている。ハウジング１８の先端側部分の外周面には環状の当接部１８ａが形成され、内筒部材３１の基端側の端面には当接部１８ａに当接して、外管１６を削孔方向の先端側へ連行する環状の連行部３１ｂが設けられている。ただし、連行部材３０としては、連行部３１ｂを有するものであれば、上述した以外の構成のものを採用することも可能である。
【００４３】
複数の外管１６を直列状に連結する場合には、隣接する外管１６を連結部材３５で連結することになる。連結部材３５としては、例えば図６に示すように、外管１６の凹凸に適合する波形状の凹凸部を形成した４枚の板状部材３６と、該４枚の板状部材３６を連結する１対の連結帯板３７とを有し、隣接する外管１６の接続部分に４枚の板状部材３６を周方向に間隔をあけて配置して、１対の連結帯板３７を外管１６に巻き付けて、連結帯板３７の一端のスリット３７ａに連結帯板３７の他端を挿入してフック３７ｂを引っ掛けることで、隣接する外管１６を連結するように構成したものを採用できる。ただし、連結部材３５としては、２本の外管１６を直列状に連結し得る構成のものであれば、上述した以外の任意の構成の連結部材を採用することが可能である。
【００４４】
次に、この削孔装置１０を用いた削孔方法について説明する。
先ず、図７に示すように、内管１５に外管１６を外装させ、内管１５の基端部をドリフタ１１の回転軸１１ａに接続して、内管１５及び外管１６を削孔装置本体１４にセットする。このとき、外管１６の基端部は、ドリフタ１１に接続しないで自由端とする。
【００４５】
次に、送り駆動装置１３とドリフタ１１とダウンザホールハンマ１７に対して加圧エアを供給して、図７に矢印で示すように、送り駆動装置１３によりドリフタ１１とともに内管１５を斜面Ｓ側へ送り駆動するとともに、ドリフタ１１により内管１５を回転駆動する。このとき、図４に示すように、掘削時の反力でビット１９が連行部材３０の外径よりも拡径するとともに、ダウンザホールハンマ１７へ供給した加圧エアにより、削孔方向の先端側へビット１９が繰り返して打撃され、図８に示すように、ビット１９で地盤Ｇが順次掘削される。
【００４６】
一方、外管１６は、その先端部に設けた連行部材３０の連行部３１ｂが、ダウンザホールハンマ１７のハウジング１８の当接部１８ａに当接することで、削孔方向の先端側へ順次連行されて、削孔Ｈ内に装填されることになる。このとき、外管１６の基端部はドリフタ１１に接続されておらず、また外管１６の先端部は、連行部材３０を介してハウジング１８に回転自在に支持されるので、外管１６に対しては、送り駆動装置１３の送り操作力が直接的に作用せず、またドリフタ１１の回転力やダウンザホールハンマ１７の打撃力も作用しないで、連行部材３０により外管１６の先端部が削孔Ｈの奥部側へ引っ張られて、削孔Ｈ内に円滑に且つ無理なく順次連行されることになる。また、掘削時に発生したクリ粉は、ダウンザホールハンマ１７へ供給した加圧エアがビット１９の先端部から削孔Ｈの奥端部へ排出されることで、ハウジング１８と内筒部材３１間の図示外の隙間と、ハウジング１８と外管１６間の隙間を通じて、加圧エアとともに内管１５と外管１６間の隙間へ圧送され、外管１６に形成した貫通孔１６ａを通じて、または外管１６の基端部から外部へ排出される。ただし、図１に仮想線で示すように、外管１６の基端部を覆うカバー部材４０を設けるとともに、カバー部材４０に連通する排出管４１を設けて、クリ粉を所望の場所へ排出するように構成することもできる。
【００４７】
こうして、必要深さの削孔Ｈを掘削した後、ドリフタ１１により内管１５を削孔Ｈ時とは逆方向へ回転させて、ビット１９を連行部材３０の内径よりも縮径させてから、送り駆動装置１３により、内管１５とダウンザホールハンマ１７とビット１９とをドリフタ１１とともにガイドレール１２の上部へ移動させて、削孔Ｈから抜き取り、図９に示すように、外管１６及び連行部材３０のみを削孔Ｈにそのまま残留施工することになる。
【００４８】
なお、掘削する削孔Ｈの深さが１本の内管１５の長さよりも深い場合には、図１０に示すように、ドリフタ１１を前進位置の手前まで送り駆動した後、図１に仮想線で示すように、内管１５の基端部をドリフタ１１の回転軸１１ａから取り外し、ドリフタ１１をガイドレール１２の上部まで移動させた後、内管１５及び外管１６と同様の構成の延長用の内管１５Ａ及び外管１６Ａを削孔装置本体１４へ移送して、延長用の内管１５Ａの基端部をドリフタ１１の回転軸１１ａに接続するとともに、延長用の内管１５Ａの先端部を削孔Ｈ内の内管１５の基端部に接続し、更に延長用の外管１６の先端部を削孔Ｈ内に施工した外管１６の基端部に連結部材３５で連結してから、前述と同様に、送り駆動装置１３とドリフタ１１とダウンザホールハンマ１７へ加圧エアを供給して掘削を行い、延長用の内管１５Ａ及び外管１６Ａを順次継ぎ足して必要深さの削孔Ｈを掘削することになる。
【００４９】
また、内管１５及び外管１６を用いて削孔Ｈを掘削する前に、図１１に示すように、先端部にダウンザホールハンマ１７及びビット１９を設けた内管１５だけで、掘削予定位置に対してガイド孔ＧＨを掘削することもできる。この場合には、予めガイド孔ＧＨを形成することで、削孔Ｈ内への外管１６の連行作業をより円滑に行うことが可能となる。
【００５０】
このように、この削孔装置１０及び削孔方法では、外管１６の先端部に対して引張力を作用させて、削孔方向の奥部側へ外管１６を連行するので、従来のように、外管の基端部に対して回転力や圧縮力を作用させて、外管を削孔内に押し込む場合と比較して、外管１６に対して、曲げ方向や捩じり方向や坐屈方向への力が作用することを防止できる。このため、鋼管と比較して強度剛性は低いが、安価で且つ軽量な合成樹脂管からなる外管１６を採用しつつ、該外管１６を削孔Ｈ内に無理なく確実に施工できる。したがって、外管１６を大幅に軽量に構成することが可能となり、外管１６を作業現場へ移送したり、外管１６を削孔装置本体１４にセットしたりするときにおける作業者の肉体的な負担を大幅に軽減できる。また、外管１６が削孔Ｈ内に残留施工されるので、外管１６を削孔Ｈから抜き取る作業が不要となり、削孔作業の作業効率を向上できるとともに、削孔装置本体１４から外管１６を取り外したり、取り外した外管１６を作業現場から移送したりするときにおける、作業者の肉体的な負担も一層軽減できる。更に、外管１６を抜き取る作業が不要となるので、削孔装置本体１４として油圧駆動のものに代えてエア駆動のものを採用することが可能となり、油圧供給装置と比較して軽量なエア供給装置を作業現場へ移送すればよいので、作業者の肉体的な負担を更に軽減できる。更にまた、合成樹脂管からなる外管１６は、鋼管からなる外管１６と比較して安価なものなので、外管１６を残留施工した場合でも、経済的な負担が過大になることを防止できる。本発明の削孔装置本体１４は、足場を設置することも可能であるが、外管１６を軽量な合成樹脂管で構成できるので、従来、無足場では施工困難であると考えられていた急勾配の斜面Ｓに対しても、無足場で削孔Ｈを掘削することが可能となり、工期の大幅な短縮を図ることが可能となる。
【００５１】
なお、削孔Ｈに対してロックボルトなどのアンカー材５０を施工する場合には、前述と同様にして必要深さの削孔Ｈを掘削した後、図１２に示すように、供給パイプ５１を削孔Ｈの奥端部に挿入して、供給パイプ５１からセメントミルクなどのグラウト５２を削孔Ｈ内に注入してから、図１３に示すように、該削孔Ｈに対してアンカー材５０を挿入することで、アンカー材５０を施工することになる。この場合には、複数本の削孔Ｈを形成してから、該複数本の削孔Ｈに対して連続的にグラウト５２を注入することで、１本ずつ削孔Ｈを掘削してグラウト５２を注入する場合と比較して、作業効率を格段に向上できるとともに、グラウト５２が作業途中で固化して無駄になるという不具合も防止できる。
【００５２】
また、図１４に示すように、グラウト５２及びアンカー材５０を施工した後、削孔Ｈの開口を袋状の蓋体５３で閉蓋して、蓋体５３を挿通するホース５４から、該削孔Ｈ内にグラウト５２を加圧注入し、削孔Ｈ内に残留施工した外管１６付近の地盤Ｇ内に、外管１６に設けた複数の貫通孔１６ａを通じて、グラウト５２を浸透させることもできる、この場合には、外管１６付近の地盤Ｇ内に浸透したグラウト５２によりアンカー材５０を地盤Ｇに対してより強固に施工することが可能となる。
【００５３】
なお、本発明の削孔装置及び削孔方法は、斜面Ｓに対してアンカー材５０を施工するときだけでなく、平坦な地盤に縦向きにアンカー材を施工する場合や、法枠にアンカー材を施工する場合や、道路の拡幅工事などにおける切土の斜面にアンカー材を施工する場合や、トンネルの内面に略放射状にアンカー材を施工する場合などにも適用できる。
【００５４】
また、本発明の削孔装置及び削孔方法は、アンカー材５０を施工するための削孔Ｈを掘削する以外に、地盤Ｇに埋設状に外管１６を施工する場合、例えば排水路を地盤Ｇに施工する場合にも適用できる。具体的には、外管１６として、貫通孔１６ａを省略したり、周方向の上半部だけに貫通孔１６ａを形成したりしたものを採用し、削孔Ｈに装填した外管１６で排水路を構成することになる。
【００５５】
以上、本発明の実施形態について説明したが、本発明は前述した実施形態に何ら限定されるものではなく、本発明の要旨を逸脱しない範囲においてその構成を変更し得ることは勿論である。
【符号の説明】
【００５６】
１０    ：削孔装置
１１    ：ドリフタ
１１ａ  ：回転軸
１２    ：ガイドレール
１３    ：送り駆動装置
１４    ：削孔装置本体
１５    ：内管
１６    ：外管
１６ａ  ：貫通孔
１５Ａ  ：内管
１６Ａ  ：外管
１７    ：ダウンザホールハンマ
１８    ：ハウジング
１８ａ  ：当接部
１９    ：ビット
１９ａ  ：軸部
２０    ：連結フレーム
２１    ：天板
２２    ：枠状フレーム
２３    ：ワイヤー
２５    ：支持台
２６    ：スプロケット
２７    ：チェーン
２８    ：エアモータ
３０    ：連行部材
３１    ：内筒部材
３１ａ  ：取付部
３１ｂ  ：連行部
３２    ：外筒部材
３２ａ  ：固定部
３３    ：ビス
３５    ：連結部材
３６    ：板状部材
３７    ：連結帯板
３７ａ  ：スリット
３７ｂ  ：フック
４０    ：カバー部材
４１    ：排出管
５０    ：アンカー材
５１    ：供給パイプ
５２    ：グラウト
５３    ：蓋体
５４    ：ホース
Ｇ      ：地盤
ＧＨ    ：ガイド孔
Ｈ      ：削孔
Ｓ      ：斜面
【図１】
2018162577.tif 000003
【図２】
2018162577.tif 000004
【図３】
2018162577.tif 000005
【図４】
2018162577.tif 000006
【図５】
2018162577.tif 000007
【図６】
2018162577.tif 000008
【図７】
2018162577.tif 000009
【図８】
2018162577.tif 000010
【図９】
2018162577.tif 000011
【図１０】
2018162577.tif 000012
【図１１】
2018162577.tif 000013
【図１２】
2018162577.tif 000014
【図１３】
2018162577.tif 000015
【図１４】
2018162577.tif 000016